(57)【特許請求の範囲】
【請求項１】
開口部と切り取り可能な切り取り部とを有する成形品であって、
前記開口部及び前記切り取り部の少なくとも一方は複数個あり、前記切り取り部は、該切り取り部が切り取られた後に前記開口部に選択的に装着された場合に、そこで保持され得るように、前記開口部に係合し得る係合部を具えることを特徴とする成形品。
【請求項２】
前記開口部は複数個あり、該切り取り部が切り取られた後に前記複数の開口部のいずれかに選択的に装着され得ることを特徴とする請求項１に記載の成形品。
【請求項３】
前記切り取り部は複数個あり、該複数の切り取り部が選択的に切り取られた後に前記開口部に装着され得ることを特徴とする請求項１に記載の成形品。
【請求項４】
差し込み穴と切り取り可能なボス部とを有する成形品であって、
前記差し込み穴は複数個あり、前記ボス部は、該ボス部が切り取られた後に前記差し込み穴に選択的に装着された場合に、そこで保持され得るように、前記差し込み穴に係合し得る係合部を具えることを特徴とする成形品。
【請求項５】
差し込み穴と切り取り可能なボス部とを有する成形品と他の部品との結合方法であって、
前記ボス部が前記成形品より切り取られ、且つ前記差し込み穴に装着され、前記差し込み穴に係合し得る係合部により、該差し込み穴に保持され、
該保持された前記ボス部を使用して前記他の部品が前記成形品に取付けられることを特徴とする成形品と他の部品との結合方法。
【請求項６】
前記成形品は、前記差し込み穴は複数個あり、前記ボス部が前記差し込み穴に選択的に装着されて前記他の部品が前記成形品に取付けられることを特徴とする請求項５に記載の成形品と他の部品との結合方法。
【発明の詳細な説明】
【技術分野】
【０００１】
本発明は、型成形による成形品、及び成形品と他の部品との結合方法に関する。
【背景技術】
【０００２】
金融機関等には、処理されるべき通帳類に印字等するための処理システムが設けられ、印字装置の手前側には、通帳類を適切に案内するための案内装置が設置される。案内装置は、射出成形されたケースを含んで成り、該ケースは、通帳類にアクセスするための種々の装置の取付け位置の変更に伴う該装置用の開口の位置変更に対応し得るように、様々のタイプのものが個別に成形され保管される。
【発明の開示】
【発明が解決しようとする課題】
【０００３】
しかるに、上記従来のように各種ケースを用意するのは、製造コスト等の面で好ましいことではない。
そこで、本発明においては、仕様の変更に対して安価且つ簡易にそして迅速に対応し得る合理的・経済的な成形品構造を実現することをその課題とする。
【課題を解決するための手段】
【０００４】
上記課題を解決するために本発明は、開口部と切り取り可能な切り取り部とを有する成形品であって、前記開口部及び前記切り取り部の少なくとも一方は複数個あり、前記切り取り部は、該切り取り部が切り取られた後に前記開口部に選択的に装着された場合に、そこで保持され得るように、前記開口部に係合し得る係合部を具えることを特徴とする。また、本発明は、開口部と切り取り可能な切り取り部とを有する成形品と他の部品との結合方法であって、前記切り取り部が前記成形品より切り取られ、且つ前記開口部に装着され、前記開口部に係合し得る係合部により、該開口部に保持され、該保持された前記切り取り部を使用して前記他の部品が前記成形品に取付けられることを特徴とする。
【発明の効果】
【０００５】
本発明においては、切り取り部が切り取られると、そこに開口が形成され、他方、切り取られた切り取り部が開口部に装着され、切り取り部の係合部が開口部に係合し、切り取り部は開口部に保持される。
【発明を実施するための最良の形態】
【０００６】
以下、本発明の実施例を図面を参照して説明する。
金融機関等には、処理されるべき通帳類に印字等するための処理システムが設けられ、印字装置の手前側には、通帳類を適切に案内するための案内装置が設置され、それは、上側案内装置と下側案内装置とを含む。以下、それらにつき個別に詳説するが、本発明の思想自体は、このような対象に何ら限定されるものではなく、言及しない様々の成形品に適用可能であることは言うまでもない。
（１）  上側案内装置
上側案内装置は、図１に示すように、箱形のケース１１と、ケース上面に取付けられる扁平な矩形板１３とを有し、矩形板１３が下方側を向いてその底部外面が通帳類を案内する案内面（図１では、底部外面であり、図２では上面）となるように配置される。
【０００７】
ケース１１は、所定樹脂材を射出成形することによって形成され、内部には、補強用のリブ１５と、矩形板取付け用の（必要に応じて下穴あるいはネジ穴を具備した）ボス部１７とが設けられる。図１のケース底部の略中央には、イメージ・センサ（図示せず）の取付けのための、４つのＬ字形のスロットで囲まれた細長い切り取り部１９が設けられる。切り取り部１９は、４つの辺部分の中央の小さな連結片部２１を介してケース本体と一体に形成（射出成形）される。
【０００８】
矩形板１３は、イメージ・センサ（図示せず）による検出精度の維持のために不可欠な扁平度を比較的容易に得ることができる金属製の板材で形成される。また矩形板１３は、図示しないイメージ・センサのセンサ・ヘッド（図示せず）の異なる２つの取付け位置に対応するように、センサ・ヘッド用の開口部２３及び取付け穴２５′（２５′ａ，２５′ｂ）の位置が異なる２つのタイプ（１３ａ、１３ｂ）が用意される。これらの開口部２３が横に並ぶ位置関係を有するので、ケース１１に設けられるべき開口部近傍の矩形板取付け用の２つのボスに関して、一方の使用時に他方が邪魔になり、これらのボスを二者択一的に存在させるケース構造が必要になる。
【０００９】
本実施例では、ボス位置を安価且つ簡易に変更し得るように、ケース１１に（前記取付け穴２５′（２５′ａ，２５′ｂ）に各々対応する）ボス差し込み穴２５（２５ａ，２５ｂ）を複数（図示例では２つ）設けると共に、ボス自体に関しては、（イメージ・センサの存在のために最終的に除去され得る）切り取り部１９を利用し、切り取り部１９にボス２７を切り取り可能に形成（射出成形）する。ボス２７は、その切り取られた単体を描く図３に示すように、その長手方向の一端側に、１８０度反対の方向に延びる一対の（回り止め用）突出部２９を具え、他端側は、ケース１１への装着を容易にするために円錐台状に面取りが施され、他端面には、必要に応じて下穴あるいはネジ穴（図示せず）が設けられる。ケース１１に設けられた２つの差し込み穴２５は、切り取られたボス２７の円柱状部分が嵌合し得る丸い貫通穴部と、それにつながったボス２７の一対の突出部２９が嵌合し得る溝部（貫通せず）とから成り、このような差し込み穴２５に対してボス２７が選択的に装着される（図３）。
【００１０】
以上の構成を有する上側案内装置においては、ボスの着け替えによって複数種類のケースを簡単に得ることができるのでケースを専用化せずに済み、ボス成形用の金型が不要であってケース射出成形の金型１つのみで基本的に足り、製造コストの面で好ましく、また、処理システムの仕様変更に伴う矩形板の交換時（イメージ・センサの取付け位置の変更時）に、容易且つ迅速に対応でき、極めて好ましい。尚、ボスのみを別の金型で別途成形するような解決策では、製造コストの上昇（型代や成形費等）が不可避であり、また、入れ子式のコマ型を別途用意してボス位置の異なるケースを同一金型でその都度成形する解決策では、作業が繁雑で製造コストが上昇し、あるいはボス位置の異なる各種ケースを製造・保管する解決策では、不使用のケースの大量在庫を抱えることになり、経済的でない。
【００１１】
ここで、より具体的・実際的なケースの一例を図４に示す。同図において、Ａ、Ｂ、Ｃ、Ｇの各部は、切り取り自在に形成された切り取り部であって、センサ・ヘッド用の開口部の必要な位置に応じた部分が除去され得るように構成され、Ｅは、切り取り自在なボスであって、その位置から他の位置（嵌合穴部Ｆの位置）に変更する場合に切り取られて差し込み穴Ｆに装着され得るように構成される。これにより、Ａ部を取り除くと『○○仕様』、Ｂ部を取り除くと『××仕様』というように極めて簡単にそして迅速にケースの事後的な構造変更が可能になり、また、部品点数の削減やケースの共通化等を図ることができる。
【００１２】
（２）  下側案内装置
下側案内装置は、図５に示すように、上記上側案内装置の箱形ケースと同様なケース４１を有し、ケース４１の底部外面（図５では上面）が上方を向いて通帳類を実際に案内する案内面となるように、しかも、上述の上側案内装置の案内面（矩形板１３）と対向するように配置され、通帳類は、上側案内装置（の案内面）と下側案内装置（の案内面）との間で良好に案内される。
【００１３】
ケース４１は、所定樹脂材の射出成形品から成り、底部（図５では、上面部分）には、通帳類に対する電気的アクセス用の複数のＩ／Ｏ装置（図示せず）のために、それに対応した数及び形状の開口が必要であり、それらの位置が変われば、それに応じて開口の位置を変える必要がある。従って、開口位置の変更を考慮して、考えられ得る位置に開口が総て設けられたようなケースを成形することが考えられるが、それでは、通帳類のジャム（引っ掛かり事故）等が著しく生じ易くなり、好ましくなく、１つのＩ／Ｏ装置に対して１つの開口のみが存在し、それ以外の余分な開口が存在しない、あるいはそれらが塞がっているようなケース構造が必要となる。
【００１４】
本実施例では、ケース４１には、Ｉ／Ｏ装置の位置変更時に開口位置を安価且つ簡易に変更し得るように、各Ｉ／Ｏ装置が位置する頻度が比較的高い位置に対応した位置に開口が予め確定的に設けられると共に、ケースのその他の変更され得る複数位置には、事後的に開口を簡易形成することができるように、スロットで非連続的に囲まれたような切り取り自在の切り取り部が設けられる。具体的には、射出成形段階で、図５の左手上側の細長い開口４３と、同図の下側の中央の（位置変更の予定されていない）若干大きめの四角い開口４５と、この開口４５の両側の２つの小さめの四角い開口４７とが形成され、同図上側の細長い開口４３の右隣側には、将来切り取られることが予想される３つの細長い切り取り部５１が設けられ、２つの小さめの四角い開口４７の両側には、同様に切り取られることが予想される２つの四角い切り取り部５３が設けられる。
【００１５】
例えば、開口位置の変更のために３つの細長い切り取り部５１の内の必要な１つの切り取り部を切り取ってその位置に開口部を形成したような場合、上記既設の細長い開口４３を塞ぐ必要があり、その切り取った切り取り部５１をそこに装着して塞ぐことになる。左手下側あるいは右手下側の四角い切り取り部５３に関係する開口位置変更時にもこれと同様の処理が為されることになる。
【００１６】
尚、各切り取り部５１、５３は、図６及び図７に示すように、両側に突出する突出部５１ａ、５３ａを具え、それが既設の開口４３、４７に装着された際に、それらの突出部５１ａ、５３ａが開口４３、４７の対応する溝部４３ａ、４７ａに嵌合し得るように構成されており、このような嵌合関係を維持あるいは確実にするために、これらの溝部４３ａ、４７ａには、図６に示すようにピン４７ｂ（４３ｂは図示せず）が立設され、突出部５１ａ、５３ａには、ピン（４３ｂ、４７ｂ）が嵌合し得る孔（図示せず）が形成されるが、ピンと孔とは、これとは逆の位置関係を有することも可能である。
【００１７】
以上の構成を有する下側案内装置においては、上記上側案内装置と同様に、ケース成形のために単一の金型で足り、製造コスト的に好ましく、また、切り取り部の切り取り及び開口への適合により、開口位置を簡単に変えることができるのでケースが専用化せず、処理システムの仕様変更に伴うケースの交換時（各Ｉ／Ｏ装置の取付け位置の変更時）に、容易且つ迅速に対応でき、極めて好ましい。
【００１８】
本実施例においては、このような下側案内装置及び先に記載した上側案内装置の個別の作用あるいは相乗的な作用により、案内装置の使い勝手や作業能率・効率が飛躍的に向上し得る。
【産業上の利用可能性】
【００１９】
以上説明したように本発明によれば、箱形ケースに形成された切り取り自在でありかつ切り取られた後に開口部に装着可能な成形品を有し、各種仕様に応じた装置に対応でき、安価で合理的・経済的な装置を提供できる。
【図面の簡単な説明】
【００２０】
【図１】図１は、上側案内装置のケース及び矩形板の分解斜視図である。
【図２】図２は、裏返したケースの斜視図である。
【図３】図３は、切り取られたボスと差し込み穴との関係を示す斜視図である。
【図４】図４は、ケースの実際例を示す平面図である。
【図５】図５は、下側案内装置のケースの分解斜視図である。
【図６】図６は、切り取られた切り取り部と開口との関係を示す斜視図である。
【図７】図７は、切り取り部の斜視図である。
【符号の説明】
【００２１】
１１、４１    ケース
１３    矩形板
１５    リブ
１７    ボス部
１９    切り取り部
２１    連結片部
２３    開口部
２５    差し込み穴
２５′    取付け穴
２７    ボス
２９    突出部
４３、４５、４７    開口
５１、５３    切り取り部
【図１】
0004553925.tif 000002
【図２】
0004553925.tif 000003
【図３】
0004553925.tif 000004
【図４】
0004553925.tif 000005
【図５】
0004553925.tif 000006
【図６】
0004553925.tif 000007
【図７】
0004553925.tif 000008